(57)【要約】【課題】中継器側において、感知器や地区音響装置などの端末器の作動状況を確認できる中継器を提供する。【解決手段】中継器制御信号を送出して遠隔制御する外部機器３を接続するための外部機器接続端子Ｔ１と、外部機器３から出力される中継器制御信号を処理する制御信号処理手段１２と、中継器１から火災受信機２に出力される表示情報を、外部装置３に送出して、必要な表示をさせるためのモニタ信号生成手段１１と、外部機器３との間で送受される信号を変換するインターフェース手段１３とを備えた。【選択図】図１
2004086466.tif 000002
【特許請求の範囲】
【請求項１】
火災受信機を接続する火災受信機接続端子と、地区音響装置、火災感知器、防排煙装置などの端末器を接続する端末器接続端子とを備える中継器において、
中継器制御信号を送出して遠隔制御する外部機器を接続するための外部機器接続端子と、
上記外部機器から出力される中継器制御信号を処理する制御信号処理手段と、上記中継器から上記火災受信機に出力される表示情報を、上記外部機器に送出して、必要な表示をさせるためのモニタ信号生成手段と、
上記外部機器との間で送受される信号を変換するインターフェース手段とを備えた、遠隔制御機能を有する中継器。
【請求項２】
請求項１において、
上記外部機器は表示部を有し、中継器制御信号を上記中継器に送出して、該中継器に接続された火災感知器を試験発報させ、その試験結果を、上記表示部に表示させるものである、遠隔制御機能を有する中継器。
【請求項３】
請求項１において、
上記外部機器は表示部を有し、中継器制御信号を上記中継器に送出して、該中継器に接続された地区音響装置を鳴動させ、その試験結果を、上記表示部に表示させるものである、遠隔制御機能を有する中継器。
【請求項４】
請求項１において、
上記外部機器は表示部を有し、中継器制御信号を上記中継器に送出して、該中継器に接続された防排煙装置を作動させ、その試験結果を、上記表示部に表示させるものである、遠隔制御機能を有する中継器。
【請求項５】
請求項１において、
上記火災感知器の自動発報試験周期、上記地区音響装置の自動鳴動試験周期、上記防排煙装置の自動作動試験などの設定データを記憶する設定データ記憶手段を更に備えており、
上記外部機器より、上記中継器制御信号として、上記設定データ記憶手段の設定データの書換信号を受けたときには、その書換信号で規定される設定データを、上記設定データ記憶手段に上書き登録する遠隔制御機能を有する中継器。
【請求項６】
請求項５において、
上記外部機器は表示部を有し、上記設定データ記憶手段に記憶している試験周期で、種々の試験を行い、その試験結果を、上記表示部に表示させるものである遠隔制御機能を有する中継器。
【請求項７】
請求項１〜６のいずれかに記載の中継器と、請求項１〜６のいずれかに記載の外部機器とを備えた、遠隔制御機能を有する自動火災報知システム。
【発明の詳細な説明】
【０００１】
【発明の属する技術分野】
本発明は、火災受信機を接続する火災受信機接続端子と、地区音響装置、火災感知器、防排煙装置などの端末器を接続する端末器接続端子とを備える中継器、および、これを使用した自動火災報知システムに関する。
【０００２】
【従来の技術】
従来より、大規模なビルやマンションなどでは、自動火災報知システムが導入されており、防災上重要なものとなっている。
【０００３】
このものは、火災受信機から導出した感知回線を通じて中継器を接続し、その中継器には、更に感知回線を通じて火災感知器や地区音響装置などの端末器を接続して構成されており、感知器の発報状況、地区音響装置の鳴動状況、防排煙装置の作動状況が火災受信機に表示され、また、火災受信機の操作によって、感知器や地区音響装置、防排煙装置の試験ができるようになっている。
【０００４】
【発明が解決しようとする課題】
ところで、中継器は、何ら表示手段や操作手段を有しておらず、感知器や地区音響装置、防排煙装置の作動状況を確認できず、このような作動状況の確認のためには、中継器からは遠くはなれた受信機においてしなければならず使い勝手が悪かった。
【０００５】
本発明は、上記事情を考慮してなされたものであり、中継器側において、感知器や地区音響装置などの端末器の作動状況を確認できる中継器、および、これを使用した自動火災報知システムを提供することを目的としている。
【０００６】
【課題を解決するための手段】
上記目的を達成するために、本発明の請求項１に記載の中継器では、中継器制御信号を送出して遠隔制御する外部機器を接続するための外部機器接続端子と、外部機器から出力される中継器制御信号を処理する制御信号処理手段と、中継器から火災受信機に出力される表示情報を、外部機器に送出して、必要な表示をさせるためのモニタ信号生成手段と、外部機器との間で送受される信号を変換するインターフェース手段とを備えた。
【０００７】
請求項２に記載の中継器では、外部機器は表示部を有し、中継器制御信号を中継器に送出して、該中継器に接続された火災感知器を試験発報させ、その試験結果を、表示部に表示させるものである。
【０００８】
請求項３に記載の中継器は、外部機器は表示部を有し、中継器制御信号を中継器に送出して、該中継器に接続された地区音響装置を鳴動させ、その試験結果を、表示部に表示させるものである。
【０００９】
請求項４に記載の中継器は、外部機器は表示部を有し、中継器制御信号を上記中継器に送出して、該中継器に接続された防排煙装置を作動させ、その試験結果を、表示部に表示させるものである。
【００１０】
請求項５に記載の中継器は、火災感知器の自動発報試験周期、地区音響装置の自動鳴動試験周期、防排煙装置の自動作動試験周期などの設定データを記憶する設定データ記憶手段を更に備えており、外部機器より、中継器制御信号として、設定データ記憶手段の設定データの書換信号を受けたときには、その書換信号で規定される設定データを、設定データ記憶手段に上書き登録する。
【００１１】
請求項６に記載の中継器は、外部機器は表示部を有し、設定データ記憶手段に記憶している試験周期で、種々の試験を行い、その試験結果を、表示部に表示させるものである遠隔制御機能を有する。
【００１２】
請求項７に記載の自動火災報知システムでは、請求項１〜６のいずれかに記載の中継器と、請求項１〜６のいずれかに記載の外部機器とを備えている。
【００１３】
【発明の実施の形態】
以下に、本発明の実施の形態について、図面とともに説明する。図１は、本発明の中継器の要部構成の一例を示す図である。
【００１４】
この中継器１は、信号処理部１０と、モニタ信号生成部１１と、制御信号処理部１２と、信号変換部１３，１４と、設定データ記憶手段を構成する設定データ記憶部１５と、パーソナルコンピュータなどの外部機器３を接続するための外部機器接続端子Ｔ１と、受信機２を接続するための受信機接続端子Ｔ２と、感知回線を通じて火災感知器Ｓを接続するための感知器接続端子Ｔ３と、地区音響装置Ｂを接続するための地区音響装置接続端子Ｔ４と、防火シャッターやスプリンクラーなどの防排煙装置ＥＲを接続するための防排煙装置接続端子Ｔ５とを備える。
【００１５】
なお、この中継器１では、制御信号処理手段は制御信号処理部１２で構成され、モニタ信号生成手段はモニタ信号生成部１１で構成され、インターフェース手段は信号変換部１３で構成されている。
【００１６】
この中継器１において、信号処理部１０は、ＣＰＵなどで構成されており、この中継器１の制御を行う。モニタ信号生成部１１は、中継器１から火災受信機２に出力される表示情報、ここでは、火災感知器Ｓの火災感知状況や、地区音響装置Ｂの鳴動状況、防排煙装置ＥＲの作動状況を、外部機器３に送出して、必要な表示をさせる。
【００１７】
制御信号処理部１２は、外部機器３から出力される中継器制御信号を、信号処理部１０が扱える形式に変換する。
【００１８】
信号変換部１３は、外部機器３との間で送受される信号を、制御信号処理部１２や外部機器３が取り扱える形式に変換する。信号変換部１４は、火災受信機２との間で送受される信号を、信号処理部１０や火災受信機２が取り扱える形式に変換する。
【００１９】
設定データ記憶部１５は、火災感知器Ｓの自動発報試験周期、地区音響装置Ｂの自動鳴動試験周期、防排煙装置ＥＲの自動作動試験周期などの設定データを記憶する。
【００２０】
このような構成の中継器１は、図２に示すようにして使用される。すなわち、火災受信機２より導出した感知回線Ｌ１に、複数の中継器１を接続し、それぞれの中継器には、火災感知器Ｓ、地区音響装置Ｂ、防排煙装置ＥＲを接続した感知回線Ｌ２を接続している。なお、ここでは、火災受信機２として、多重伝送線である感知回線Ｌ１を通じてポーリングにより各中継器１の状態を監視する、いわゆるＲ型受信機を示しているが、本発明はこの例には限られず、複数の感知回線Ｌ１を導出させ、それぞれの回線Ｌ１に中継器１を接続する、いわゆるＰ型受信機であってもよい。
【００２１】
次に、このような構成の特徴的な動作について、以下説明する。すなわち、外部機器３からは、所定コマンドの入力により、中継器制御信号として、試験発報信号や試験鳴動信号、試験作動信号を出力できる。このとき、中継器１では、制御信号処理部１２によって、信号処理部１０の取り扱える形式に変換し、これを受けた信号処理部１０が、試験発報信号を火災感知器Ｓに、試験鳴動信号を地区音響装置Ｂに、試験作動信号を防排煙装置ＥＲにそれぞれ出力し、その試験結果を、信号処理部１０からモニタ信号生成部１１に出力し、モニタ信号生成部１１では、その結果をモニタ信号と変換し、外部機器３に出力して、その表示部３０（図３参照）に表示させる。
【００２２】
そのときの表示態様の一例が図３であり、火災感知器Ｓの発報試験を行った結果として、正常に発報のあった旨が、その感知器Ｓの設置階とともに表示されている。
【００２３】
また、外部機器３からは、中継器制御信号として、設定データの書換信号を所定コマンド入力によって出力できる。なお、この書換信号では、上書き登録すべき設定データが規定されている。
【００２４】
このとき、中継器１では、制御信号処理部１２によって、信号処理部１０の取り扱える形式に変換し、これを受けた信号処理部１０が、受信した書換信号より設定データを抽出し、設定データ記憶部１５の設定データを書き換える。
【００２５】
一方の中継器１は、このような設定データ記憶手段の設定データに基づき、そのデータの周期にて、火災感知器Ｓの自動発報試験や、地区音響装置Ｂの自動鳴動試験、防排煙装置ＥＲの自動作動試験などの各種の試験を行い、その結果がモニタ信号生成部によりモニタ信号に変換され、外部機器３に出力され、その表示部３０（図３参照）に表示される。そのときの表示態様の一例が図３であり、火災感知器Ｓの発報試験を行った結果として、正常に発報のあった旨が、その感知器の設置階とともに表示されている。
【００２６】
【発明の効果】
以上の説明からも理解できるように、本発明の請求項１に記載の自動火災報知システムでは、中継器制御信号を送出して遠隔制御する外部機器を接続するための外部機器接続端子と、外部機器から出力される中継器制御信号を処理する制御信号処理手段と、中継器から火災受信機に出力される表示情報を、外部機器に送出して、必要な表示をさせるためのモニタ信号生成手段と、外部機器との間で送受される信号を変換するインターフェース手段とを備えたので、必要なときに、外部機器接続端子に外部機器を接続することによって、その外部機器と中継器とが通信ができるようになり、受信機から遠く離れた中継器側において、感知器や地区音響装置の作動状況を確認でき、極めて利便である。
【００２７】
請求項２に記載の中継器では、外部機器は表示部を有し、中継器制御信号を中継器に送出して、該中継器に接続された火災感知器を試験発報させ、その試験結果を、表示部に表示させるので、必要時に、外部機器を中継器に接続して中継制御信号を送るだけで、火災感知器の発報試験を行え、極めて利便である。
【００２８】
請求項３に記載の中継器は、外部機器は表示部を有し、中継器制御信号を中継器に送出して、該中継器に接続された地区音響装置を鳴動させ、その試験結果を、表示部に表示させるので、必要時に、外部機器を中継器に接続して中継制御信号を送るだけで、地区音響装置の鳴動試験を行え、極めて利便である。
【００２９】
請求項４に記載の中継器は、外部機器は表示部を有し、中継器制御信号を中継器に送出して、該中継器に接続された防排煙装置を作動させ、その試験結果を、表示部に表示させるので、必要時に、外部機器を中継器に接続して中継器制御信号を送るだけで、防排煙装置の作動試験を行え、極めて利便である。
【００３０】
請求項５に記載の中継器は、外部機器より、中継器制御信号として、設定データ記憶手段の設定データの書換信号を受けたときには、その書換信号で規定される設定データを、設定データ記憶手段に上書き登録するので、必要時に、外部機器を接続して書換信号を送るだけで、設定データを書き換えることができ、極めて利便である。
【００３１】
請求項６に記載の中継器は、外部機器は表示部を有し、設定データ記憶手段に記憶している試験周期で、種々の試験を行い、その試験結果を、表示部に表示させるので、受信機から遠く離れた中継器側で試験結果が確認でき、極めて利便である。
【００３２】
請求項７に記載の自動火災報知システムでは、請求項１〜６のいずれかに記載の中継器と、請求項１〜６のいずれかに記載の外部機器とを備えたので、請求項１〜６のいずれかの効果を発揮する自動火災報知システムを提供することができる。
【図面の簡単な説明】
【図１】本発明の中継器の要部構成の一例を示す図である。
【図２】本発明の自動火災報知システムの構成の一例を示す図である。
【図３】火災感知器の発報状況を図示したものである。
【符号の説明】
１・・・中継器
２・・・火災受信機
３・・・外部機器
１１・・・モニタ信号生成部
１２・・・制御信号処理部
１３・・・信号処理部
１４・・・信号変換部
１５・・・設定データ記憶部
３０・・・表示部
Ｔ１・・・外部機器接続端子
Ｔ３・・・火災感知器接続端子
Ｔ４・・・地区音響装置接続端子
Ｌ１，Ｌ２・・・感知回線
Ｓ・・・火災感知器
Ｂ・・・地区音響装置
ＥＲ・・・防排煙装置
【図１】
2004086466.tif 000003
【図２】
2004086466.tif 000004
【図３】
2004086466.tif 000005